【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
詳しくはシート状の記録媒体である層状のフラット対象物における、記録媒体（１８）についての個片シート、複数枚重ねシート、またはシート消失を非接触に検出する方法であって、前記記録媒体（１８）は、センサデバイスの少なくとも一つの送信機（Ｔ）および関連する受信機（Ｒ）の放射経路内に設けられて、前記記録媒体（１８）が発した放射、またはシート消失の場合に受信機（Ｒ）が受けとる前記放射が測定信号（ＵM）の形で受信され、この信号は次に相応の検出信号を生成するための推定に供される方法において、
少なくとも送信機（Ｔ）側の送信信号は受信機（Ｒ）からガルバニックに分離された形で作成され、
送信機（Ｔ）および受信機（Ｒ）は機械的に互いに非連結な状態にあることを特徴とする方法。
【請求項２】
請求項１に記載の方法において、
少なくとも一つの補正値特性（ＫＫDB）が推定に供され、
前記補正値特性（ＫＫDB）によって前記シート状記録媒体（１８）のグラム重または単位面積当り重量の関数としての、受信機（Ｒ）からの前記測定信号（ＵM）の入力電圧（ＵE，ＵM）の特性（ＭＫDB）が目標特性（ＺＫi）に変換され、
シート状記録媒体（１８）についての相応の検出信号を生成するために、前記推定の出力時の出力電圧（ＵA，ＵZ）と前記グラム重または単位面積当り重量との間にほぼ線形の特性すなわち理想的な個片シートの特性に近似した特性があることを特徴とする方法。
【請求項３】
請求項１または請求項２に記載の方法において、
送信機（Ｔ）と受信機（Ｒ）とのガルバニックな分離により、少なくとも送信機と受信機との信号に関する、信号対ノイズ比を向上させる方法であって、補正値特性を用いて、詳しくは８から６０００ｇ／ｍ2の広範なグラム重または単位面積当り重量の範囲に亘って、前記測定信号の前記入力電圧（ＵE，ＵM）の前記特性を目標特性に変換し、さらに一重および二重の段ボールの場合も同様であるように信号対ノイズ比を向上させることを特徴とする方法。
【請求項４】
請求項１に記載の方法であって、詳しくは例えばラベル、スプライス、裂け目や剥ぎ取り用ドットなどの基材または支持体に接着により付与される多層材料などのシート状材料について、
少なくとも一つの補正値特性（ＫＫE）が前記推定に供され、
前記補正値特性（ＫＫE）により、前記フラット対象物（２）または記録媒体のグラム重または単位面積当り重量の関数としての、受信機（Ｒ）からの前記測定信号（ＵM）の前記入力電圧（ＵE，ＵM）の前記特性（ＭＫE）が目標特性（ＺＫE）に変換され、この変換は、相応の検出信号を生成するために、前記推定の前記出力時の前記出力電圧（ＵA，ＵZ）と前記グラム重または単位面積当り重量との間の理想的目標特性（ＺＫ）として、詳しくは検出されるグラム重範囲内で最大の勾配を有する特性である有限の勾配を有するほぼ線形の特性が存在するように行われることを特徴とする方法。
【請求項５】
前述の請求項１から請求項４のいずれか１に記載の方法において、
個片シート、シート消失、または複数シート重なり、または重ねたパッケージ材の検出信号は、検出される前記フラット対象物または前記記録媒体の連続搬送動作時、および／または、少なくとも一つの前記センサデバイスのティーチイン工程の間で決定されると共に、詳しくは閾値として、連続搬送動作での検出に取り入れられることを特徴とする方法。
【請求項６】
請求項１から請求項５のいずれか１に記載の方法において、
送信機（Ｔ）および前記受信機（Ｒ）であって詳しくは送信機および受信機のトランスデューサの相互の方位決定は、詳しくは所定のプリント基板である所定の固定用基材（１２，１４）を用いて行われることを特徴とする方法。
【請求項７】
請求項１から請求項６のいずれか１に記載の方法において、
前記送信信号は少なくとも一つの周波数変調を受けることを特徴とする方法。
【請求項８】
請求項１から請求項７のいずれか１に記載の方法において、
前記センサデバイスは詳しくは超音波センサデバイスである音響センサデバイスとして構成され、
超音波センサのトランスデューサの許容誤差および／または時間効果は動作前および／または動作時の周波数変調によって、より詳しくは自動的に修正されることを特徴とする方法。
【請求項９】
請求項１から請求項８のいずれか１に記載の方法において、
前記センサデバイスは、送信機（Ｔ）における回路系またはプログラム制御によりパルス動作から連続動作に切り換えることができ、
連続動作の場合に、定在波を防止するために前記送信信号の位相跳躍および／または短時間休止が行われることを特徴とする方法。
【請求項１０】
請求項１から請求項９のいずれか１に記載の方法において、
前記送信信号は、少なくとも一つの一方向測定部上に及ぶものとして生成されることを特徴とする方法。
【請求項１１】
請求項１から請求項１０のいずれか１に記載の方法において、
同一または類似の性質をもつ複数の性質をもつ複数のセンサデバイスを信号連結させて検出信号を得ることを特徴とする方法。
【請求項１２】
詳しくはシート状の記録媒体（１８）である層状のフラット対象物での、記録媒体における個片シート、複数シート重なり、またはシート消失についての非接触検出装置であって、少なくとも一つのセンサデバイス(１０)は少なくとも一つの送信機（Ｔ）および関連の受信機（Ｒ）を備え、前記検出される記録媒体（１８）は送信機（Ｔ）および受信機（Ｒ）間の放射経路に交差し、前記受信機（Ｒ）は、前記記録媒体（１８）が発した放射、またはシート消失の場合に測定信号（ＵM，ＵE）として受信される放射を受け、前記測定信号（ＵM，ＵE）が供給されて検出信号を形成する下流の推定装置（４）であって、特に請求項１から請求項１１のいずれか１に記載の方法を実行する推定装置を備えた非接触検出装置において、
センサデバイス（１０）において前記送信機（Ｔ）は受信機（Ｒ）からガルバニックに分離されると共に機械的に非連結な状態にあり、
または少なくとも前記送信信号は、受信機（Ｒ）に対してガルバニックに分離されると共に機械的に非連結な状態で生成されることを特徴とする装置。
【請求項１３】
請求項１２に記載の装置において、
独立した電気回路（２３，２５）が送信機（Ｔ）および前記受信機（Ｒ）に対して設けられ、
または一体型回路の場合は、少なくとも前記送信信号がガルバニックに分離された状態で前記受信機（Ｒ）から生成されることを特徴とする装置。
【請求項１４】
請求項１２または請求項１３に記載の装置において、
前記送信機（Ｔ）および受信機（Ｒ）は、詳しくは間隔を置いたプリント基板である独立した支持体（１２，１４）上に設置され、より詳しくは送信機（Ｔ）および受信機（Ｒ）の間に設けられた前記記録媒体（１８）用の案内ギャップ（１６）の両側に位置することを特徴とする装置。
【請求項１５】
請求項１２から請求項１４のいずれか１に記載の装置において、
前記送信機（Ｔ）および受信機（Ｒ）は、詳しくは超音波トランスデューサ（２２）である音響トランスデューサ、または詳しくは光学式トランスデューサである電磁式トランスデューサであることを特徴とする装置。
【請求項１６】
請求項１５に記載の装置において、
前記送信機および／または受信機の前記トランスデューサ（２２）は所定の回路基板（１２，１４）に直接搭載されることを特徴とする装置。
【請求項１７】
請求項１４から請求項１６のいずれか１に記載の装置において、
前記送信機（Ｔ）および受信機（Ｒ）は、詳しくは筒状または平行六面体状のケーシングの有り無し、あるいは角度付きトランスデューサケーシング（４５）を備えたケーシング有り無しのいずれによっても構成され、
送信機（Ｔ）および受信機（Ｒ）の構成形状は互いに組み合わせることも可能なことを特徴とする装置。
【請求項１８】
請求項１５から請求項１７のいずれか１に記載の装置において、
詳しくは超音波トランスデューサである音響トランスデューサである送信機（Ｔ）および／または受信機（Ｒ）において、トランスデューサ素子（３５）および結合層（３６）用のシールド缶（３８）が、特定の支持体（１２）に面平行な方位でトランスデューサレセプタクル（３９）内にはっきり入り込んだ形で設けられていることを特徴とする装置。
【請求項１９】
請求項１２から請求項１８のいずれか１に記載の装置において、
送信機（Ｔ）および／または受信機（Ｒ）は、詳しくは光学式トランスデューサである電磁式トランスデューサとして、所定の支持体（１２）に面平行な方位でトランスデューサレセプタクル（３９）内に設けられることを特徴とする装置。
【請求項２０】
請求項１５から請求項１９のいずれか１に記載の装置において、
前記トランスデューサレセプタクル（３９）は、トランスデューサ（２２）の方位を前記支持体（１２）の面にほぼ平行にするために、詳しくは周縁（４１）である方位決定装置を有することを特徴とする装置。
【請求項２１】
請求項１５から請求項２０のいずれか１に記載の装置において、
送信機（Ｔ）および／または受信機（Ｒ）のトランスデューサは、支持体（１２）に対して面平行もしくは角度を有するトランスデューサとして構成され、放射軸方向に互いに対向していることを特徴とする装置。
【請求項２２】
請求項１８から請求項２１のいずれか１に記載の装置において、
詳しくはプリント基板である支持体（１２）に対するトランスデューサの方位決定のために、シールド缶の底面にスペーシング用スタッド（５５）を前記支持体に対して設けることが可能なことを特徴とする装置。
【請求項２３】
請求項１８から請求項２２のいずれか１に記載の装置において、
トランスデューサレセプタクルの方位を固定するために、回路基板（１２）に対する詳しくはバックグリップ（５６）を備えた回り止め（５７）が存在することを特徴とする装置。
【請求項２４】
請求項１８から請求項２３のいずれか１に記載の装置において、
エラストマ製の制振装置（５８）が、隣接したモジュール（５４）との間でトランスデューサレセプタクル（３９）を囲んでいることを特徴とする装置。
【請求項２５】
請求項１４から請求項２４のいずれか１に記載の装置において、
前記プリント基板（１２）は、詳しくは装置用ケーシングである隣接モジュール（５４）に形状安定な形で連結されていることを特徴とする装置。
【請求項２６】
請求項１４から請求項２４のいずれか１に記載の装置において、
送信機（Ｔ）および／または受信機（Ｒ）の接続側は、前記シールド缶（４９）により前記支持体（１２）に対して大部分が封入されており、詳しくは電磁的に内部に閉じ込められていることを特徴とする装置。
【請求項２７】
請求項１２から請求項２６のいずれか１に記載の装置において、
送信機（Ｔ）および受信機（Ｒ）間の放射軸は、前記検出される記録媒体（１８）の平面に対して角度（β）だけ傾斜した向きにあることを特徴とする装置。
【請求項２８】
請求項１２から請求項２７のいずれか１に記載の装置において、
送信機（Ｔ）および受信機（Ｒ）間の間隔（ｄ）は要求されるものと効果との関数として変化し得ることを特徴とする装置。
【請求項２９】
請求項１２から請求項２８のいずれか１に記載の装置において、
受信機（Ｒ）に接続された前記推定装置（４）は、少なくとも一つの補正値特性（ＫＫ）を供給され、前記補正値特性（ＫＫ）は、前記記録媒体のグラム重または単位面積当りの重量の関数としての、受信機（Ｒ）からの前記測定信号の前記入力電圧（ＵE，ＵM）の前記特性を前記目標特性（ＺＫ）に変換するように供給され、この変換は、紙、段ボール、箔、フィルム、板および類似のフラット材およびパッケージなどの、詳しくはシート状である層状フラット対象物などの前記記録媒体（１８）の場合に、個片シート、複数シート重なり、またはシート消失の検出における、前記推定装置（４）の出力時の出力電圧（ＵA，ＵZ）とグラム重または単位面積当り重量との間に、線形の特性すなわち目標特性（ＺＫｉ）の形の理想的な個片シートの特性に近似した特性を生成することが可能なように行われることを特徴とする装置。
【請求項３０】
請求項１２から請求項２８のいずれか１に記載の装置において、
受信機（Ｒ）に接続された前記推定装置（４）は、少なくとも一つの補正値特性（ＫＫ）を供給され、前記補正値特性（ＫＫ）は、前記記録媒体のグラム重または単位面積当りの重量の関数としての、受信機（Ｒ）からの前記測定信号の前記入力電圧（ＵE，ＵM）の特性を前記目標特性（ＺＫ）に変換するように供給され、この変換は、例えばラベル、スプライス、裂け目や剥ぎ取り用のドット、および類似のフラット材料などの、基材または支持体に接着により付与される多層構造を有する記録媒体（１８）において、ラベルなどの多層材料の存在、分離、または消失の検出における、前記推定の出力時の出力電圧（ＵA，ＵZ）とグラム重または単位面積当り重量との間に、理想的目標特性（ＺＫ）または前記理想的目標特性に近似した目標特性（ＺＫE）を有する特性として、詳しくは検出されるグラム重範囲内で最大の勾配を有する、有限の勾配を有するほぼ線形な特性を生成することが可能なように行われることを特徴とする装置。
【請求項３１】
請求項２９または請求項３０に記載の装置において、
前記補正値特性同士を組み合わせることが可能なことを特徴とする装置。
【請求項３２】
請求項１２から請求項３１のいずれか１に記載の装置において、
前記検出される前記記録媒体用の前記少なくとも一つのセンサデバイス１０はティーチイン工程を用いており、これにより、前記ティーチイン工程に存在する測定値の特性値またはその特性値から導出した値を用いて、推定装置（４）のための個片シートまたは類似のフラット材料の閾値を決定することが可能なことを特徴とする装置。
【請求項３３】
請求項１２に記載の装置において、
詳しくは発電機（Ｇ）または電池パックである、単一の回路を用いた送信機（Ｔ）および受信機（Ｒ）の電源において、送信機（Ｔ）または受信機（Ｒ）用の電力供給ブランチ（６５，６６）に少なくとも一つのガルバニックな分離が存在し、
送信機（Ｔ）と受信機（Ｒ）との間に信号線は存在しないことを特徴とする装置。
【請求項３４】
請求項３３に記載の装置において、
送信機（Ｔ）および受信機（Ｒ）用の電力供給ブランチ（６５，６６）の各々にガルバニックな分離が存在することを特徴とする装置。